(57)【特許請求の範囲】
【請求項１】
入出力部を介して接続される制御部、充放電管理部および電流生成部と、
前記充放電管理部に対して接続され、かつ、前記電流生成部に対してスイッチを介して接続される蓄電部とを備え、
シャットダウン状態では、前記制御部および前記充放電管理部がオフするとともに前記スイッチがオフされ、
前記シャットダウン状態から起動する際に前記スイッチがオンされ、
前記スイッチがオンされることに応じて、前記電流生成部は、前記蓄電部から供給される電力に基づいて所定の電流を生成し、該生成した電流を前記入出力部に出力し、
前記電流生成部から供給される電流により前記入出力部における電圧が所定の動作電圧に達した場合に、前記制御部および前記充放電管理部がオンし、
前記蓄電部の電圧が閾値より小さい場合には、前記電流生成部により生成される第１の電流に基づいて前記蓄電部が充電され、
前記蓄電部の電圧が前記閾値より大きい場合には、前記第１の電流より大きい第２の電流に基づいて前記蓄電部が充電される
蓄電装置。
【請求項２】
前記入出力部に対して、前記第２の電流を生成する充放電部が接続される
請求項１に記載の蓄電装置。
【請求項３】
前記電流生成部は、定電流ＤＣ(Direct Current)−ＤＣコンバータにより構成される
請求項１または２に記載の蓄電装置。
【請求項４】
前記蓄電部は、複数のリチウムイオン電池により構成される
請求項１から３までの何れかに記載の蓄電装置。
【請求項５】
前記シャットダウン状態において外部から電力の供給がある場合に、前記外部からの電力に基づいて前記制御部および前記充放電管理部がオンし、該電力により前記蓄電部が充電される
請求項１から４までの何れかに記載の蓄電装置。
【請求項６】
入出力部を介して接続される制御部、充放電管理部および電流生成部と、前記充放電管理部に対して接続され、かつ、前記電流生成部に対してスイッチを介して接続される蓄電部とを備える蓄電装置の起動方法であり、
シャットダウン状態では、前記制御部および前記充放電管理部がオフするとともに前記スイッチがオフされ、前記シャットダウン状態から起動する際に前記スイッチがオンされ、
前記スイッチがオンされることに応じて、前記電流生成部が前記蓄電部から供給される電力に基づいて所定の電流を生成し、該生成した電流を前記入出力部に出力し、
前記電流生成部から供給される電流により前記入出力部における電圧が動作電圧に達した場合に、前記制御部および前記充放電管理部がオンし、
前記蓄電部の電圧が閾値より小さい場合には、前記電流生成部により生成される第１の電流に基づいて前記蓄電部が充電され、
前記蓄電部の電圧が前記閾値より大きい場合には、前記第１の電流より大きい第２の電流に基づいて前記蓄電部が充電される
蓄電装置の起動方法。
【発明の詳細な説明】
【技術分野】
【０００１】
本開示は、蓄電装置および起動方法に関する。
【背景技術】
【０００２】
電子機器などの負荷に対して電力を供給する蓄電装置が普及している。蓄電装置は、停電時等の外部から電力の供給がない場合でも起動できることが求められる。下記特許文献１には、商用電源が停電している場合に、バッテリの電力を使用して起動する蓄電装置が記載されている。
【先行技術文献】
【特許文献】
【０００３】
【特許文献１】特開２０１０−０２８９５０号公報
【発明の概要】
【発明が解決しようとする課題】
【０００４】
特許文献１に記載の蓄電装置は、バッテリの電力を使用して待機状態を維持するようにしている。待機状態においてバッテリの電力が消費されるため、長時間にわたり蓄電装置の待機状態を維持することが困難であるという問題があった。
【０００５】
したがって、本開示の目的の一つは、待機状態において消費される電力を無くす蓄電装置を提供することにある。さらに、蓄電装置における起動方法を提供することにある。
【課題を解決するための手段】
【０００６】
上述した課題を解決するために、本開示は、例えば、
入出力部を介して接続される制御部、充放電管理部および電流生成部と、
充放電管理部に対して接続され、かつ、電流生成部に対してスイッチを介して接続される蓄電部とを備え、
シャットダウン状態では、制御部および充放電管理部がオフするとともにスイッチがオフされ、
シャットダウン状態から起動する際にスイッチがオンされ、
スイッチがオンされることに応じて、電流生成部は、蓄電部から供給される電力に基づいて所定の電流を生成し、該生成した電流を入出力部に出力し、
電流生成部から供給される電流により入出力部における電圧が所定の動作電圧に達した場合に、制御部および充放電管理部がオンし、
蓄電部の電圧が閾値より小さい場合には、電流生成部により生成される第１の電流に基づいて蓄電部が充電され、
蓄電部の電圧が閾値より大きい場合には、第１の電流より大きい第２の電流に基づいて蓄電部が充電される
蓄電装置である。
【０００７】
本開示は、例えば、
入出力部を介して接続される制御部、充放電管理部および電流生成部と、充放電管理部に対して接続され、かつ、電流生成部に対してスイッチを介して接続される蓄電部とを備える蓄電装置の起動方法であり、
シャットダウン状態では、制御部および充放電管理部がオフするとともにスイッチがオフされ、シャットダウン状態から起動する際にスイッチがオンされ、
スイッチがオンされることに応じて、電流生成部が蓄電部から供給される電力に基づいて所定の電流を生成し、該生成した電流を入出力部に出力し、
電流生成部から供給される電流により入出力部における電圧が動作電圧に達した場合に、制御部および充放電管理部がオンし、
蓄電部の電圧が閾値より小さい場合には、電流生成部により生成される第１の電流に基づいて蓄電部が充電され、
蓄電部の電圧が閾値より大きい場合には、第１の電流より大きい第２の電流に基づいて蓄電部が充電される
蓄電装置の起動方法である。
【発明の効果】
【０００８】
少なくとも一つの実施形態によれば、蓄電装置の待機状態における待機電力を無くすことができる。
【図面の簡単な説明】
【０００９】
【図１】一般的な蓄電装置の構成の一例を示すブロック図である。
【図２】蓄電部を充電する場合の電力の経路の一例を説明するための図である。
【図３】外部の電源から負荷に対して供給される電力の経路の一例を説明するための図である。
【図４】蓄電部から負荷に対して供給される電力の経路の一例を説明するための図である。
【図５】ＥＭＵに対して供給される電力の経路の一例を説明するための図である。
【図６】本開示における蓄電装置の構成の一例を示すブロック図である。
【図７】蓄電部の電力を抵抗を介して供給する構成を説明するための図である。
【図８】一般的な蓄電装置の具体的な回路構成の一例を説明するための図である。
【図９】本開示における蓄電装置の具体的な回路構成の一例を説明するための図である。
【図１０】第２の実施形態における処理の流れを説明するためのフローチャートである。
【図１１】応用例を説明するための図である。
【図１２】応用例を説明するための図である。
【発明を実施するための形態】
【００１０】
以下、本開示の実施形態等について図面を参照しながら説明する。説明は、以下の順序で行う。
＜１．第１の実施形態＞
＜２．第２の実施形態＞
＜３．変形例＞
＜４．応用例＞
以下に説明する実施形態等は本開示の好適な具体例であり、本開示の内容がこれらの実施形態等に限定されるものではない。
【００１１】
なお、以下に説明において、負荷に対して接続されているものの、該負荷に対して電力を供給しておらず、指示に応じて該負荷に対して電力を供給できる蓄電装置の状態を適宜、待機状態またはシャットダウン状態と称する。この場合の指示は、例えば、蓄電装置のユーザの所定の操作である。
【００１２】
蓄電装置が待機状態を維持するための電力、換言すれば、待機状態（シャットダウン状態）において消費される電力を適宜、待機電力と称する。詳細は後述するが、一般的な蓄電装置（蓄電システム）は、商用電力やバッテリの電力を使用して待機状態を維持しているため待機電力がかかる。本開示における蓄電装置では待機電力を０にすることができる。さらに、本開示における蓄電装置は、商用電力等の外部からの電力を供給が無くても起動することができ、蓄電装置の自立運転を実現できる。
【００１３】
なお、以下の説明において「Ａより小さい」はＡ以下と解釈されてもよくＡ未満と解釈されてもよい。「Ａより大きい」はＡ以上と解釈されてもよくＡを超えるものとして解釈されてもよい。
【００１４】
＜１．第１の実施形態＞
「蓄電部の一例について」
本開示における蓄電装置は、蓄電部を有する。蓄電装置の説明に先立ち、蓄電部の一例について説明する。蓄電部は、例えば、複数の２次電池により構成される。蓄電部を構成する２次電池は、例えば、正極活物質と、黒鉛等の炭素材料を負極活物質として含むリチウムイオン２次電池である。正極材料として特に限定はないが、好ましくは、オリビン構造を有する正極活物質を含有するものである。
【００１５】
オリビン構造を有する正極活物質としてさらに好ましくは、リチウム鉄リン酸化合物（ＬｉＦｅＰＯ4 ）、または、異種原子を含有するリチウム鉄複合リン酸化合物（ＬｉＦｅxＭ1-xＯ4 ：Ｍは１種類以上の金属、ｘは０＜ｘ＜１である。）が好ましい。ここで、「主体」とは、正極活物質層の正極活物質総質量の５０％以上を意味する。また、Ｍが２種以上の場合は、各々の下付数字の総和が１−ｘとなるように選定される。
【００１６】
Ｍとしては、遷移元素、ＩＩＡ族元素、ＩＩＩＡ族元素、ＩＩＩＢ族元素、ＩＶＢ族元素等が挙げられる。特にコバルト（Ｃｏ），ニッケル，マンガン（Ｍｎ），鉄，アルミニウム，バナジウム（Ｖ），およびチタン（Ｔｉ）のうちの少なくとも１種を含むものが好ましい。
【００１７】
正極活物質は、リチウム鉄リン酸化合物またはリチウム鉄複合リン酸化合物の表面に、該酸化物とは異なる組成の金属酸化物（例えば、Ｎｉ、Ｍｎ、Ｌｉなどから選択されるもの）やリン酸化合物（例えば、リン酸リチウム等）等を含む被覆層が施されていてもよい。
【００１８】
リチウム（Ｌｉ）を吸蔵および放出することが可能な正極材料として、層状岩塩構造を有するコバルト酸リチウム（ＬｉＣｏＯ2）、ニッケル酸リチウム（ＬｉＮｉＯ2）、マンガン酸リチウム（ＬｉＭｎＯ2）、スピネル構造を有するマンガン酸リチウム（ＬｉＭｎ2Ｏ4）などのリチウム複合酸化物が使用されてもよい。
【００１９】
本開示における黒鉛としては、特に限定はなく、業界において用いられる黒鉛材料を広く用いることができる。負極の材料として、チタン酸リチウム、シリコン（Ｓｉ）系材料、スズ（Ｓｎ）系材料等が使用されてもよい。
【００２０】
本開示にかかる電池の電極の製造法としては、特に限定はなく、業界において用いられている方法を広く用いることができる。
【００２１】
本開示における電池構成としては、特に限定はなく、公知の構成を広く用いることができる。
【００２２】
本開示に用いられる電解液としては、特に限定はなく、液状、ゲル状を含み、業界において用いられる電解液を広く用いることができる。
【００２３】
電解液溶媒として好ましくは、４−フルオロ−１，３−ジオキソラン−２−オン（ＦＥＣ）、炭酸エチレン、炭酸プロピレン、炭酸ブチレン、炭酸ビニレン（ＶＣ）、炭酸ジメチル、炭酸ジエチル、炭酸エチルメチル、γ−ブチロラクトン、γ−バレロラクトン、１，２−ジメトキシエタン、テトラヒドロフラン、２−メチルテトラヒドロフラン、１，３−ジオキソラン、４−メチル−１，３−ジオキソラン、酢酸メチル、プロピオン酸メチル、プロピオン酸エチル、アセトニトリル、グルタロニトリル、アジポニトリル、メトキシアセトニトリル、３−メトキシプロピロニトリル、Ｎ，Ｎ−ジメチルフォルムアミド、Ｎ−メチルピロリジノン、Ｎ−メチルオキサゾリジノン、ニトロメタン、ニトロエタン、スルホラン、ジメチルスルフォキシド、リン酸トリメチル、リン酸トリエチル、エチレンスルフィド、およびビストリフルオロメチルスルホニルイミドトリメチルヘキシルアンモニウム、さらに好ましくは４−フルオロ−１，３−ジオキソラン−２−オン（ＦＥＣ）、炭酸エチレン、炭酸プロピレン、炭酸ブチレン、炭酸ビニレン（ＶＣ）、炭酸ジメチル、炭酸ジエチル、炭酸エチルメチル、γ−ブチロラクトン、γ−バレロラクトンである。
【００２４】
電解液支持塩として好ましくは、六フッ化リン酸リチウム（ＬｉＰＦ6）、ビス（ペ
ンタフルオロエタンスルホニル）イミドリチウム（Ｌｉ（Ｃ2Ｆ5ＳＯ2）2Ｎ）、過塩素酸リチウム（ＬｉＣｌＯ4）、六フッ化ヒ酸リチウム（ＬｉＡｓＦ6）、四フッ化ホウ酸リチウム（ＬｉＢＦ4）、トリフルオロメタンスルホン酸リチウム（ＬｉＳＯ3ＣＦ3）、ビス（トリフルオロメタンスルホニル）イミドリチウム（Ｌｉ（ＣＦ3ＳＯ2）2Ｎ）、トリス（トリフルオロメタンスルホニル）メチルリチウム（ＬｉＣ（ＳＯ2ＣＦ3）3である。
【００２５】
リチウムイオン２次電池は、形状に応じて角型、円筒型等に分類することができる。本開示では一例として、円筒型のリチウムイオン２次電池が使用される。１の円筒型のリチウムイオン２次電池をセルと適宜、称する。リチウムイオン２次電池のセルの平均的な出力電圧は、例えば、３．０Ｖ（ボルト）程度であり、満充電電圧は、例えば、４．２Ｖ程度である。また、リチウムイオン２次電池のセルの容量は、例えば、３Ａｈ（アンペアアワー）（３０００ｍＡｈ（ミリアンペアアワー））である。
【００２６】
複数のセルが接続されることにより、サブモジュールが形成される。サブモジュールは、例えば、８個のセルが並列に接続された構成を有する。この場合のサブモジュールの容量は、２４Ａｈ程度となり、電圧は、セルの電圧と略同じ３．０Ｖ程度となる。
【００２７】
例えば、１６のサブモジュールが直列に接続され、共通のケース内に収納されることにより蓄電部が構成される。この場合の蓄電部の容量は、２４Ａｈ程度となり、電圧は、４８Ｖ（３．０Ｖ×１６）程度となる。なお、蓄電部の構成は、用途等に応じて適宜、変更することができる。さらに、リチウムイオン２次電池に限らず、電気二重層、大容量キャパシタ等により蓄電部が構成されてもよい。
【００２８】
「一般的な蓄電装置の構成について」
本開示の理解を容易とするために、図１を参照して一般的な蓄電装置（蓄電システム）の構成について説明する。なお、図１から図７における実線の矢印は電力の流れを示す。蓄電装置内または蓄電装置と外部の機器との間では所定の規格に基づく通信が行われるが、通信に基づく信号の流れの図示は省略している。
【００２９】
蓄電装置１は、例えば、ＤＣ(Direct Current)電源部２およびＡＣ(Alternating Current)電源部３に接続される。ＤＣ電源部２は、例えば、屋根、屋外等に設置される太陽電池モジュールである。太陽電池モジュールは、複数の太陽電池を接続してパネル状としたものであり、ソーラーパネルとも称される。通常、複数枚の太陽電池モジュールが並べて設置され、太陽電池アレイが構成される。
【００３０】
ＤＣ電源部２に対してパワーコンディショナ（図示は省略している）が設けられる。パワーコンディショナは、最大電力点追従制御(Maximum Power Point Tracking:MPPT)と称される制御を行う。この制御は、太陽電池モジュールの発電電力の変動に追従して、常に最大の電力点を追いかける方式である。このパワーコンディショナの出力が外部電力系統の電力供給ラインに接続され、太陽電池モジュールの発電電力（余剰電力）が売電される構成としてもよい。
【００３１】
ＡＣ電源部３は、例えば、商用電力である。電力供給者の発電所にて発電した電力（交流電力）が図示しない送電網、配電網を介してＡＣ電源部３に供給される。
【００３２】
蓄電装置１は負荷４に対して接続され、負荷４に対して電力を供給する。負荷４は、冷蔵庫やテレビジョン装置等の電子機器のほか、用途に応じて適宜、設定できる。
【００３３】
蓄電装置１は、例えば、ＰＶ(Photovoltaic)充電器２０と、電力の入出力がなされる入出力部２１と、ＡＣ−ＤＣコンバータ２２と、ＤＣ−ＡＣインバータ２３と、充放電部２４と、ＡＣ−ＤＣ変換部２５と、電流生成部２６と、ＥＭＵ(Energy Management Unit)２７と、ＢＭＵ(Battery Management Unit)２８と、蓄電部２９とを含む構成とされる。ＡＣ−ＤＣコンバータ２２と、ＤＣ−ＡＣインバータ２３と、充放電部２４とによりＵＰＳ(Uninterruptable Power Supply)部３５が形成される。
【００３４】
各部について概略的に説明する。ＰＶ充電器２０は、ＤＣ−ＤＣコンバータと充電制御部とを有する。ＤＣ−ＤＣコンバータによりＤＣ電源部２から供給される電圧が所定の電圧に変換される。充電制御部は、ＰＶ充電器２０から出力される電流の値を制御する。ＰＶ充電器２０は、ＤＣ電源部２から供給される電圧が閾値（例えば、１００Ｖ(ボルト)）を超えると動作する。入出力部２１には、例えば、ＰＶ充電器２０，電流生成部２６，充放電部２４，ＥＭＵ２７およびＢＭＵ２８が接続されている。
【００３５】
ＡＣ−ＤＣコンバータ２２は、ＡＣ電源部３から入力される商用電力（交流電力）から直流電力を形成する。ＡＣ−ＤＣコンバータ２２から出力される直流電力がＤＣ−ＡＣインバータ２３に供給される。ＤＣ−ＡＣインバータ２３は、商用電力と同様のレベルおよび周波数の交流電力を形成する。形成された交流電力が負荷４に供給される。
【００３６】
充放電部２４は、蓄電装置１の充電または放電に応じて動作する。例えば、蓄電部２９に対する充電を行う際には、ＡＣ−ＤＣコンバータ２２を介して入力される交流電力から直流電力を形成し、直流電力を入出力部２１に出力する。放電を行う際には、入出力部２１から供給される直流電力をＤＣ−ＡＣインバータ２３に供給する。
【００３７】
ＡＣ−ＤＣ変換部２５は、ＡＣ電源部３から入力される商用電力（交流電力）から直流電力を形成する。形成された直流電力が電流生成部２６に供給される。
【００３８】
電流生成部２６は、例えば、定電流ＤＣ−ＤＣコンバータにより構成され、所定の電流値の電流を生成する。所定の電流値は、例えば、１．０Ａ（アンペア）程度である。蓄電部２９の電圧が低い場合、例えば、４２Ｖより小さい場合に、蓄電部２９に通常の充電電流（例えば、数十Ａ程度）を流してしまうと発熱などの異常を引き起こすおそれがある。そこで、蓄電部２９の電圧が４２Ｖより小さい場合には、１．０Ａ程度の低レートの定電流により蓄電部２９を初期充電する。蓄電部２９の電圧が４２Ｖより大きくなると充放電部２４が動作し、充放電部２４から出力される通常の充電電流に基づいて蓄電部２９が充電される。
【００３９】
なお、ＤＣ電源部２から供給される直流電力により蓄電部２９を充電する場合に、同様の制御がなされる。この場合は、上述したＰＶ充電器２０が低レートの電流を生成し、ＰＶ充電器２０により生成された低レートの電流により初期充電が行われる。初期充電が終了した後は、ＰＶ充電器２０は通常の充電電流を生成し、この充電電流により蓄電部２９が充電される。
【００４０】
蓄電装置１を制御するためのコントローラが設けられる。コントローラは、例えば、制御部の一例であるＥＭＵ２７と充放電管理部の一例であるＢＭＵ２８とからなる。ＥＭＵ２７およびＢＭＵ２８のそれぞれには、マイクロコントロールユニットが含まれ、ＥＭＵ２７とＢＭＵ２８との間で通信がなされる。
【００４１】
ＥＭＵ２７は、蓄電装置１の全体の管理を行う。ＢＭＵ２８は、蓄電部２９の状態（残容量、電池電圧、電池温度等）を監視し、適切な充放電動作が行われるように動作する。ＢＭＵ２８は、ＦＥＴ(Field Effect Transistor)等からなる充電制御スイッチおよび放電制御スイッチ（これらの図示は省略している）のオン／オフを適切に制御し、蓄電部２９に対する充放電を制御する。ＢＭＵ２８における充放電に関する制御は公知の制御を適用できる。なお、本例では、ＢＭＵ２８およびＥＭＵ２７が別々の構成として記載されているが、これらを一つのマイクロコンピュータ等で実現し、一体化しても良い。
【００４２】
蓄電装置１における電力の流れの一例について説明する。図２の点線（ａ）で示すように、蓄電装置１では、ＤＣ電源部２から供給される直流電力に基づいて、蓄電部２９を充電することができる。すなわち、ＤＣ電源部２から供給される直流電圧がＰＶ充電器２０により適切な直流電圧に変換される。ＰＶ充電器２０により形成される直流電圧が入出力部２１およびＢＭＵ２８を介して蓄電部２９に供給され、蓄電部２９が充電される。
【００４３】
さらに、図２の点線（ｂ１）および点線（ｂ２）で示すように、蓄電装置１では、ＡＣ電源部３から供給される交流電力に基づいて蓄電部２９を充電することができる。点線（ｂ１）で示す経路は初期充電の際の電力の経路を示し、点線（ｂ２）で示す経路は通常の充電の際の電力の経路を示す。
【００４４】
ＡＣ電源部３から供給される交流電圧がＡＣ−ＤＣ変換部２５により直流電圧に変換される。直流電圧が電流生成部２６に供給される。電流生成部２６は、供給される直流電圧に基づいて初期充電のための低レートの充電電流を生成する。電流生成部２６からの充電電流が入出力部２１およびＢＭＵ２８を介して蓄電部２９に供給される。そして、蓄電部２９の電圧が閾値以上になるまで低レートの充電電流による充電が行われる。
【００４５】
蓄電部２９の電圧が閾値以上になると、点線（ｂ２）の経路で流れる電力により蓄電部２９が通常充電される。すなわち、ＡＣ電源部３から供給される交流電圧がＡＣ−ＤＣコンバータ２２を経由して充放電部２４により供給される。充放電部２４により交流電圧が直流電圧に変換される。直流電圧が入出力部２１およびＢＭＵ２８を介して蓄電部２９に供給され、蓄電部２９が充電される。充放電部２４により例えば、定電流（ＣＣ）−定電圧（ＣＶ）方式による充電が行われる。
【００４６】
初期充電および通常充電の切り替えは、ＥＭＵ２７により行われる。初期充電および通常充電の切り替えの制御は、例えば、以下のようにして行われる。ＡＣ電源部３とＡＣ−ＤＣ変換部２５との間にスイッチＳＷ１（図示は省略している）が接続される。また、ＡＣ電源部３とＡＣ−ＤＣコンバータ２２との間にスイッチＳＷ２（図示は省略している）が接続される。
【００４７】
ＢＭＵ２８は、蓄電部２９の電池電圧を監視し、電池電圧に関する情報をＥＭＵ２７に通信により通知する。電池電圧に関する情報は、例えば、所定の周期でもってＥＭＵ２７に通知される。ＥＭＵ２７は、電池電圧が閾値より小さい場合にはスイッチＳＷ１をオンし、スイッチＳＷ２をオフする制御を行う。この制御により、初期充電が行われる。電池電圧が閾値以上である場合もしくは初期充電により電池電圧が閾値以上になる場合には、ＥＭＵ２７は、スイッチＳＷ１をオフし、スイッチＳＷ２をオンする。この制御により通常充電が行われる。
【００４８】
ＥＭＵ２７とＵＰＳ部３５とが通信を行い、この通信に基づいて充放電部２４の動作が制御され、通常充電および初期充電の切り替えがなされてもよい。電流生成部２６の出力電圧は、充放電部２４の出力電圧およびＰＶ充電器２０の出力電圧に対して低く設定されている。このため、ＵＰＳ部３５やＰＶ充電器２０が動作していない場合には、電流生成部２６の出力電力により初期充電が行われる。すなわち、ＵＰＳ部３５およびＰＶ充電器２０の動作を制御することにより通常充電および初期充電を切り替えることができる。
【００４９】
図３の点線（ｃ）で示すように、蓄電装置１は、ＤＣ電源部２から供給される電力を負荷４に対して供給することができる。ＤＣ電源部２から供給される直流電圧がＰＶ充電器２０におけるＤＣ−ＤＣコンバータにより所定の電圧に変換され、直流電力が形成される。ＰＶ充電器２０により形成された直流電力が入出力部２１および充放電部２４を介してＤＣ−ＡＣインバータ２３に供給される。ＤＣ−ＡＣインバータ２３は、商用電力と同様のレベルおよび周波数の交流電力を形成する。ＤＣ−ＡＣインバータ２３により形成された交流電力が負荷４に対して供給される。
【００５０】
図３の点線（ｄ）で示すように、蓄電装置１は、ＡＣ電源部３から供給される交流電力を負荷４に対して供給することができる。ＡＣ電源部３から供給される交流電力がＡＣ−ＤＣコンバータ２２に供給される。ＡＣ−ＤＣコンバータ２２は、交流電力から直流電力を形成し出力する。ＡＣ−ＤＣコンバータ２２から出力される直流電力がＤＣ−ＡＣインバータ２３に供給される。ＤＣ−ＡＣインバータ２３は、供給される直流電力に基づいて商用電力と同様のレベルおよび周波数の交流電力を形成する。ＤＣ−ＡＣインバータ２３により形成された交流電力が負荷４に供給される。
【００５１】
各電力の経路の適切な箇所にそれぞれスイッチを設け、各スイッチを適切にオン−オフすることにより、蓄電装置１に対する電力の入力を切り替えることができる。例えば、ＤＣ電源部２とＰＶ充電器２０との間およびＡＣ電源部３とＡＣ−ＤＣコンバータ２２の間にそれぞれスイッチが設けられる。ＥＭＵ２７がＰＶ充電器２０およびＵＰＳ部３５に対して通信を介した制御を行い、ＰＶ充電器２０およびＵＰＳ部３５のオン／オフが制御されてもよい。この制御により、負荷４に対する電力の供給経路が切り替えられてもよい。
【００５２】
図４の点線（ｅ）で示すように、蓄電装置１は、蓄電部２９の放電による電力を負荷４に供給することができる。蓄電部２９の放電による直流電力がＢＭＵ２８，入出力部２１および充放電部２４を介してＤＣ−ＡＣインバータ２３に供給される。ＤＣ−ＡＣインバータ２３は、供給される直流電力に基づいて商用電力と同様のレベルおよび周波数の交流電力を形成する。ＤＣ−ＡＣインバータ２３により形成された交流電力が負荷４に供給される。
【００５３】
ところで、上述した蓄電装置１を起動するためには、少なくともＥＭＵ２７に電力を供給する必要がある。蓄電装置１では、例えば、図５の点線（ｆ１），点線（ｆ２）および点線（ｆ３）で示す経路によりＤＣ電源部２またはＡＣ電源部３から供給される電力をＥＭＵ２７に供給する。ここで、停電や悪天候等によりＤＣ電源部２およびＡＣ電源部３からの電力供給がない場合には蓄電装置１を起動することができない。電力供給が途絶えることが想定される環境では、蓄電装置１を使用しない場合でも、ＥＭＵ２７およびＢＭＵ２８などに電力を供給し続け待機状態を維持するようにしている。待機状態を維持するために電力を常に使用することになり、コスト等の面で不都合である。
【００５４】
一方で、ＤＣ電源部２およびＡＣ電源部３に代えて蓄電部２９の電力をＥＭＵ２７およびＢＭＵ２８に供給することが考えられる。しかしながら、待機状態を維持するための電力が消費されるため、蓄電部２９の残容量が低下した場合には待機状態を維持することが困難になる。そこで、本開示における蓄電装置は、蓄電部の電力により蓄電装置を起動しつつ、待機電力を０とする。以下、本開示における蓄電装置の一例について詳細に説明する。
【００５５】
「本開示における蓄電装置の構成」
図６は、本開示における蓄電装置（蓄電装置１０）の構成の一例を示す。蓄電装置１０において、蓄電装置１と同様の構成については同一の符号を付し、重複した説明を省略する。
【００５６】
蓄電装置１０では、蓄電部２９と電流生成部２６とがスイッチＳＷ４０を介して接続されている。スイッチＳＷ４０は、例えば、蓄電装置１０の外装ケースに配設されるボタンである。スイッチＳＷ４０は、待機状態ではオフされている。また、待機状態ではＥＭＵ２７およびＢＭＵ２８がオフしている。すなわち、待機状態では蓄電部２９は蓄電装置１０内の各部から切り離されている。したがって待機状態においては蓄電部２９の電力が消費されず、待機電力が０になる。
【００５７】
蓄電装置１０のユーザは、蓄電装置１０を起動する際に、例えば、数秒程度、ボタンを押下しスイッチＳＷ４０をオンする。数秒程度、ボタンの押下を継続することにより蓄電装置１０が起動する。蓄電装置１０の起動後は、ユーザがボタンの押下を解除しスイッチＳＷ４０をオフする。スイッチＳＷ４０がオフされるため、起動後に蓄電部２９の電力が電流生成部２６に直接、供給されることはない。
【００５８】
「蓄電装置の起動処理について」
蓄電装置１０の起動処理の一例について、詳細に説明する。スイッチＳＷ４０がオンされることに応じて、蓄電部２９の直流電力が電流生成部２６に供給される。電流生成部２６は、蓄電部２９から供給される直流電力に基づいて、低レートの電流を生成する。この電流は、初期充電における低レートの充電電流と同じ１．０Ａ程度の電流である。電流生成部２６により生成された低レートの電流が入出力部２１に供給される。
【００５９】
電流生成部２６から電流が供給されることにより入出力部２１における電圧が徐々に上昇する。入出力部２１における電圧が所定値を超えると、入出力部２１に接続されているユニット（例えば、ＥＭＵ２７およびＢＭＵ２８）が起動する。ここで、所定値とはＥＭＵ２７やＢＭＵ２８が動作するために必要な電圧（動作電圧）である。ＥＭＵ２７の動作電圧およびＢＭＵ２８の動作電圧は同一でもよく異なるものであってもよい。
【００６０】
ＥＭＵ２７およびＢＭＵ２８が起動した後、蓄電部２９はＢＭＵ２８を介して蓄電装置１０の各部に接続される。以上のようにして、待機電力を０にするとともに、蓄電部２９の電力を使用して蓄電装置１０を起動できる。
【００６１】
ここで、入出力部２１に対して接続されるユニットのいずれかが故障している場合や、接続ラインがショートしている場合には、電流生成部２６から電流が供給されても入出力部２１における電圧は上昇しない。すなわち、入出力部２１における電圧がＥＭＵ２７やＢＭＵ２８の動作電圧に達せず、蓄電装置１０が起動しない。ＥＭＵ２７やＢＭＵ２８が動作しないことから、蓄電部２９が蓄電装置１０の各部に接続されない。このように、蓄電部２９の電力を、電流生成部２６を介して供給することにより、故障等の障害が有るユニットに対して蓄電部２９が接続されることを防止できる。そして、障害が有るユニットに対して蓄電部２９が接続されることによる蓄電部２９の故障（２次故障）を防止できる。
【００６２】
さらに、蓄電部２９が直接、ＥＭＵ２７等に接続されると突入電流が流れＥＭＵ２７等を損傷するおそれがある。しかしながら、本開示における蓄電装置では、蓄電部２９の電力が電流生成部２６を経由して出力するようにしているため、突入電流によるＥＭＵ２７等の損傷を防止できる。
【００６３】
例えば、図７に示すように抵抗５０を介した電力により蓄電装置を起動することも可能である。しかしながら、入出力部２１に接続されるユニットに故障等がある場合には当該ユニットが発熱し２次故障が発生するおそれがあるため、図７に示す構成は好ましくない。
【００６４】
具体的な回路構成の一例について説明する。図８に示すように、一般的な蓄電装置１では、蓄電部２９から電流生成部２６に対して電力は供給されない。
【００６５】
図９は、蓄電装置１０における蓄電部２９と電流生成部２６との間の具体的な回路構成の一例を示す。ＡＣ−ＤＣ変換部２５と電流生成部２６とが、電力ラインＬ１および電力ラインＬ２により接続されている。電力ラインＬ１に対して電力ラインＬ１０が接続され、電力ラインＬ２に対して電力ラインＬ２０が接続される。電力ラインＬ１０は蓄電部２９の正極端子に接続されており、電力ラインＬ２０は蓄電部２９の負極端子に接続されている。この構成により蓄電部２９の電力が電流生成部２６の入力に接続される。
【００６６】
電力ラインＬ１にダイオードＤ１が設けられる。ダイオードＤ１は、スイッチＳＷ４０がオンされたときに、蓄電部２９からＡＣ−ＤＣ変換部２５への逆流を防止するためのものである。電力ラインＬ１０には、蓄電部２９側からヒューズＦＵ，スイッチＳＷ４０，抵抗ＲおよびダイオードＤ２が設けられる。電力ラインＬ１０における抵抗ＲおよびダイオードＤ２の中点と電力ラインＬ２０とがラインＬ３０により接続されており、ラインＬ３０にはコンデンサＣが接続されている。電力ラインＬ２０にはダイオードＤ３０が接続されている。
【００６７】
ヒューズＦＵは過電流の際に溶断し、システムの安全を確保するものである。ダイオードＤ２は蓄電部２９の電圧が低い場合に、ＡＣ電源部３からの電力が蓄電部２９に流れ込むことを防止するものである。ダイオードＤ３は、電力ラインＬ２０を電流が電力ラインＬ２に向けて流れることを防止するためのものである。抵抗ＲおよびコンデンサＣによりアナログローパスフィルタが形成され、高周波成分を除去するようになされる。なお、図９に示す回路構成は一例であり、例示した回路構成と異なる回路構成により蓄電部２９の電力が電流生成部２６に供給されるようにしてもよい。
【００６８】
以上説明したように、本開示における蓄電装置は、外部からの電力がない場合でも起動することができる。さらに、待機状態における待機電力を０にすることができる。さらに、蓄電部の電力を、電流生成部を介して出力することにより、蓄電装置のシステムに異常がある場合に、当該システムと蓄電部とが電気的に接続されることを防止できる。
【００６９】
＜２．第２の実施形態＞
第２の実施形態における蓄電装置の構成および動作は、第１の実施形態における蓄電装置１０と同様であるので重複した説明を省略する。第２の実施形態では、蓄電装置１０がシャットダウンされている状態で外部から電力の供給がある場合に、蓄電装置１０のシステムを自己起動し、蓄電部２９を充電するようにしている。そして、外部から供給される電力が減少もしくは低下した場合には、蓄電装置１０がシステムを自律的にシャットダウンし、待機電力を０にする。なお、第２の実施形態では、ＤＣ電源部２を太陽電池モジュールとして説明する。
【００７０】
「処理の流れ」
第２の実施形態における蓄電装置１０の処理の流れの一例について、図１０のフローチャートを参照して説明する。ステップＳ１０では、蓄電装置１０がシャットダウンされている。すなわち、スイッチＳＷ４０がオフされ、蓄電部２９が蓄電装置１０内のシステムから切り離されている。上述したように、この状態における待機電力は０である。そして、処理がステップＳ１１に進む。
【００７１】
ステップＳ１１では、太陽電池モジュールの発電電圧（ＰＶ発電電圧）Ｖが閾値Ｖstart以上であるか否かが判断される。閾値Ｖstartは、例えば、１００Ｖに設定される。太陽電池モジュールの発電電圧Ｖが閾値Ｖstartより小さい場合には、処理がステップＳ１１に戻り、ステップＳ１１の判断が繰り返される。太陽電池モジュールの発電電圧Ｖが閾値Ｖstart以上である場合には、処理がステップＳ１２に進む。
【００７２】
ステップＳ１２ではＰＶ充電器２０が起動する。上述したステップＳ１１の判断はマイクロコンピュータ等によって行われるものではなく、太陽電池モジュールの発電電圧Ｖが閾値Ｖstart以上になるとＰＶ充電器２０が自律的に起動する。もちろん、マイクロコンピュータ等により太陽電池モジュールの発電電圧が監視される構成としてもよい。そして、処理がステップＳ１３に進む。
【００７３】
ステップＳ１３では、ＰＶ充電器２０が入出力部２１に電力を供給する。これにより、入出力部２１に接続されるＥＭＵ２７およびＢＭＵ２８が起動する。そして、処理がステップＳ１４に進む。ステップＳ１４では、ＢＭＵ２８が動作することにともない、蓄電部２９が蓄電装置１０のシステムに接続される。そして、処理がステップＳ１５に進む。
【００７４】
ステップＳ１５では、負荷４に対して電力を供給する必要があるか否かが判断される。この判断は、例えば、ＥＭＵ２７により行われる。負荷４に対して電力を供給する必要がある場合には、処理がステップＳ１６に進む。負荷４に対して電力を供給する必要がない場合には、処理がステップＳ１７に進む。
【００７５】
ステップＳ１６では、通常の充放電モードによる処理が行われる。通常の充放電モードとは、例えば、任意の方法により充放電するモードである。すなわち、このモードでは、太陽電池モジュールから供給される電力を負荷４に対して供給してもよく、蓄電部２９の電力を負荷４に対して供給してもよい。また、太陽電池モジュールから供給される電力により蓄電部２９を充電しつつ、ＡＣ電源部３から供給される電力を負荷４に供給するようにしてもよい。
【００７６】
ステップＳ１７では、ＰＶ充電器２０により形成される電力が入出力部２１およびＢＭＵ２８を介して蓄電部２９に供給される。これにより蓄電部２９が充電される。そして、処理がステップＳ１８に進む。
【００７７】
ステップＳ１８では、太陽電池モジュールの発電電圧Ｖが閾値Ｖstop以上であるか否か判断される。閾値Ｖstopは、例えば、９０Ｖに設定される。太陽電池モジュールの発電電圧Ｖが閾値Ｖstop以上である場合には、処理がステップＳ１９に進む。太陽電池モジュールの発電電圧Ｖが閾値Ｖstopより小さい場合には、処理がステップＳ２１に進む。
【００７８】
ステップＳ１９では、負荷４に対して電力を供給する必要があるか否かが判断される。この判断は、例えば、ＥＭＵ２７により行われる。負荷４に対して電力を供給する必要がある場合には、処理がステップＳ１６に進む。上述したように、ステップＳ１６では、通常の充放電モードによる処理が行われる。
【００７９】
負荷４に対して電力を供給する必要がない場合には、処理がステップＳ２０に進む。ステップＳ２０では、蓄電部２９のＳＯＣ(State Of Charge)が閾値ＳＯＣmax以上であるか否かが判断される。この判断は、例えば、ＢＭＵ２８から送信される情報に基づいてＥＭＵ２７が行う。閾値ＳＯＣmaxは、例えば、１００％に設定される。なお、ステップＳ２０における判断でＳＯＣに代えてＤＯＤ(Depth Of Discharge)を使用した判断が行われてもよい。
【００８０】
蓄電部２９のＳＯＣが閾値ＳＯＣmaxより小さい場合には、処理がステップＳ１７に戻り、蓄電部２９に対する充電が継続される。蓄電部２９のＳＯＣが閾値ＳＯＣmax以上である場合には、処理がステップＳ２１に進む。ステップＳ２１では、蓄電部２９の容量が上昇したことから充電が停止される。そして、処理がステップＳ２２に進む。
【００８１】
ステップＳ２２では、太陽電池モジュールの発電電圧Ｖが閾値Ｖstop以上であるか否かが判断される。太陽電池モジュールの発電電圧Ｖが閾値Ｖstop以上である場合には処理がステップＳ２０に戻る。そして、ステップＳ２０における判断でＳＯＣが低下している場合には処理がステップＳ１７に戻り、蓄電部２９に対する充電が再開される。太陽電池モジュールの発電電圧Ｖが閾値Ｖstopより小さい場合には処理がステップＳ２３に進む。
【００８２】
ステップＳ２３では、蓄電部２９の容量の低下量ΔＳＯＣが閾値Ｓ％以上であるか否かが判断される。閾値Ｓ％は、例えば、２％に設定される。蓄電部２９の容量の低下量ΔＳＯＣが閾値２％より小さい場合には処理がステップＳ２２に戻り、ステップＳ２２の判断が行われる。蓄電部２９の容量の低下量ΔＳＯＣが閾値２％以上である場合には、処理がステップＳ２４に進む。
【００８３】
ステップＳ２４では、蓄電装置１０がシャットダウンする。すなわち、蓄電装置１０のＥＭＵ２７は、蓄電装置１０のＢＭＵ２８等の動作を停止する制御を行い、その後自身をオフする。なお、ＰＶ発電電圧が閾値より小さい状態の継続時間をタイマにより計測し、計測時間が所定時間を経過した場合に、蓄電装置１０をシャットダウンするようにしてもよい。
【００８４】
太陽電池モジュールの発電電圧は、天候等に応じて変動するものである。このため、一度、充電を停止した後にすぐに蓄電装置１０をシャットダウンせずに、太陽電池モジュールの発電電圧に応じた制御を行うようにしている。太陽電池モジュールの発電電圧が一定以上あり、蓄電部の容量が低下した場合には、再度、充電を行うようにしている。
【００８５】
さらに、太陽電池モジュールの発電電圧が少ない状態が継続し、蓄電部の容量が一定以上、減少する場合には、ＥＭＵ等の動作により蓄電部の電力がそれ以上消費されることを防止するため、蓄電装置をシャットダウンする。
【００８６】
このように、蓄電装置がシャットダウンしている状態で外部から電力の供給がある場合に、蓄電装置のシステムを自己起動し、蓄電部を充電する。外部から供給される電力が減少した場合には蓄電装置がシャットダウンし、蓄電装置における待機電力を０にする。
【００８７】
＜３．変形例＞
以上、本開示の実施形態について具体的に説明したが、本開示は、上述の実施形態に限定されるものではなく各種の変形が可能である。
【００８８】
上述した実施形態では、蓄電装置の起動の際に蓄電部の電力を既存の電流生成部を経由して出力するようにしているが、定電流を生成する回路を別個設け、その回路を経由して蓄電部の電力を出力する構成としてもよい。
【００８９】
上述の実施形態において挙げた構成、方法、工程、形状、材料および数値などはあくまでも例に過ぎず、必要に応じてこれと異なる構成、方法、工程、形状、材料および数値などを用いてもよい。また、各実施形態における構成、方法、工程、形状、材料および数値などは、技術的な矛盾が生じない範囲において、互いに組み合わせることが可能である。
【００９０】
本開示は、例示した処理が複数の装置によって分散されて処理される、いわゆるクラウドシステムに対して適用することもできる。実施形態および変形例において例示した処理が実行されるシステムであって、例示した処理の少なくとも一部の処理が実行される装置として、本開示を実現することができる。
【００９１】
さらに、本開示は、装置に限らず、例えば、方法、プログラム、プログラムが記録された記録媒体として実現することができる。
【００９２】
本開示は、以下の構成をとることもできる。
（１）
入出力部を介して接続される制御部、充放電管理部および電流生成部と、
前記充放電管理部に対して接続され、かつ、前記電流生成部に対してスイッチを介して接続される蓄電部と
を備える蓄電装置。
（２）
シャットダウン状態では、前記制御部および前記充放電管理部がオフするとともに前記スイッチがオフされ、
前記シャットダウン状態から起動する際に前記スイッチがオンされる
（１）に記載の蓄電装置。
（３）
前記スイッチがオンされることに応じて、前記電流生成部は、前記蓄電部から供給される電力に基づいて所定の電流を生成し、該生成した電流を前記入出力部に出力する
（２）に記載の蓄電装置。
（４）
前記電流生成部から供給される電流により前記入出力部における電圧が所定の動作電圧に達した場合に、前記制御部および前記充放電管理部がオンする
（３）に記載の蓄電装置。
（５）
前記蓄電部の電圧が閾値より小さい場合には、前記電流生成部により生成される第１の電流に基づいて前記蓄電部が充電され、
前記蓄電部の電圧が前記閾値より大きい場合には、前記第１の電流より大きい第２の電流に基づいて前記蓄電部が充電される
（１）乃至（４）のいずれかに記載の蓄電装置。
（６）
前記入出力部に対して、前記第２の電流を生成する充放電部が接続される
（５）に記載の蓄電装置。
（７）
前記電流生成部は、定電流ＤＣ(Direct Current)−ＤＣコンバータにより構成される
（１）乃至（６）のいずれかに記載の蓄電装置。
（８）
前記蓄電部は、複数のリチウムイオン電池により構成される
（１）乃至（７）のいずれかに記載の蓄電装置。
（９）
前記シャットダウン状態において外部から電力の供給がある場合に、前記外部からの電力に基づいて前記制御部および前記充放電管理がオンし、該電力により前記蓄電部が充電される
（２）乃至（８）のいずれかに記載の蓄電装置。
（１０）
蓄電部と、
前記蓄電部の電圧が閾値より小さい場合に、通常の充電電流より小さい充電電流を生成する電流生成部と
を備え、
起動の際に、前記蓄電部から出力される電力が前記電流生成部に供給される
蓄電装置。
（１１）
入出力部を介して接続される制御部、充放電管理部および電流生成部と、前記充放電管理部に対して接続され、かつ、前記電流生成部に対してスイッチを介して接続される蓄電部とを備える蓄電装置の起動方法であり、
シャットダウン状態では、前記制御部および前記充放電管理部がオフするとともに前記スイッチがオフされ、前記シャットダウン状態から起動する際に前記スイッチがオンされ、
前記スイッチがオンされることに応じて、前記電流生成部が前記蓄電部から供給される電力に基づいて所定の電流を生成し、該生成した電流を前記入出力部に出力し、
前記電流生成部から供給される電流により前記入出力部における電圧が動作電圧に達した場合に、前記制御部および前記充放電管理部がオンする
蓄電装置の起動方法。
【００９３】
＜４．応用例＞
「応用例としての住宅における電力貯蔵装置」
本開示を住宅用の電力貯蔵装置に適用した例について、図１１を参照して説明する。例えば住宅１０１用の電力貯蔵装置１００においては、火力発電１０２ａ、原子力発電１０２ｂ、水力発電１０２ｃ等の集中型電力系統１０２から電力網１０９、情報網１１２、スマートメータ１０７、パワーハブ１０８等を介し、電力が蓄電装置１０３に供給される。これとともに、家庭内発電装置１０４等の独立電源から電力が蓄電装置１０３に供給される。蓄電装置１０３に供給された電力が蓄電される。蓄電装置１０３を使用して、住宅１０１で使用する電力が給電される。住宅１０１に限らずビルに関しても同様の電力貯蔵装置を使用できる。
【００９４】
住宅１０１には、家庭内発電装置１０４、電力消費装置１０５、蓄電装置１０３、各装置を制御する制御装置１１０、スマートメータ１０７、各種情報を取得するセンサ１１１が設けられている。各装置は、電力網１０９および情報網１１２によって接続されている。家庭内発電装置１０４として、太陽電池、燃料電池等が利用され、発電した電力が電力消費装置１０５および−または蓄電装置１０３に供給される。電力消費装置１０５は、冷蔵庫１０５ａ、空調装置１０５ｂ、テレビジョン受信機１０５ｃ、風呂１０５ｄ等である。さらに、電力消費装置１０５には、電動車両１０６が含まれる。電動車両１０６は、電気自動車１０６ａ、ハイブリッドカー１０６ｂ、電気バイク１０６ｃである。
【００９５】
蓄電装置１０３は、２次電池、またはキャパシタから構成されている。例えば、リチウムイオン２次電池によって構成されている。蓄電装置１０３として、上述した蓄電装置１０を適用できる。リチウムイオン２次電池は、定置型であっても、電動車両１０６で使用されるものでも良い。スマートメータ１０７は、商用電力の使用量を測定し、測定された使用量を、電力会社に送信する機能を備えている。電力網１０９は、直流給電、交流給電、非接触給電のいずれか一つまたは複数を組み合わせても良い。
【００９６】
各種のセンサ１１１は、例えば人感センサ、照度センサ、物体検知センサ、消費電力センサ、振動センサ、接触センサ、温度センサ、赤外線センサ等である。各種センサ１１１により取得された情報は、制御装置１１０に送信される。センサ１１１からの情報によって、気象の状態、人の状態等が把握されて電力消費装置１０５を自動的に制御してエネルギー消費を最小とすることができる。さらに、制御装置１１０は、住宅１０１に関する情報を、インターネットを介して外部の電力会社等に送信することができる。
【００９７】
パワーハブ１０８によって、電力線の分岐、直流交流変換等の処理がなされる。制御装置１１０と接続される情報網１１２の通信方式としては、ＵＡＲＴ(Universal Asynchronous Receiver-Transmitter:非同期シリアル通信用送受信回路）等の通信インターフェースを使う方法、Ｂｌｕｅｔｏｏｔｈ（登録商標）、ＺｉｇＢｅｅ（登録商標）、Ｗｉ−Ｆｉ（登録商標）等の無線通信規格によるセンサネットワークを利用する方法がある。Ｂｌｕｅｔｏｏｔｈ方式は、マルチメディア通信に適用され、一対多接続の通信を行うことができる。ＺｉｇＢｅｅは、ＩＥＥＥ(Institute of Electrical and Electronics Engineers) ８０２．１５．４の物理層を使用するものである。ＩＥＥＥ８０２．１５．４は、ＰＡＮ(Personal Area Network) またはＷ(Wireless)ＰＡＮと呼ばれる短距離無線ネットワーク規格の名称である。
【００９８】
制御装置１１０は、外部のサーバ１１３と接続されている。このサーバ１１３は、住宅１０１、電力会社、サービスプロバイダーのいずれかによって管理されていても良い。サーバ１１３が送受信する情報は、たとえば、消費電力情報、生活パターン情報、電力料金、天気情報、天災情報、電力取引に関する情報である。これらの情報は、家庭内の電力消費装置（たとえばテレビジョン受信機）から送受信しても良いが、家庭外の装置（たとえば、携帯電話機等）から送受信しても良い。これらの情報は、表示機能を持つ機器、たとえば、テレビジョン受信機、携帯電話機、ＰＤＡ(Personal Digital Assistants)等に、表示されても良い。
【００９９】
各部を制御する制御装置１１０は、ＣＰＵ、ＲＡＭ、ＲＯＭ等で構成され、この例では、蓄電装置１０３に格納されている。制御装置１１０は、蓄電装置１０３、家庭内発電装置１０４、電力消費装置１０５、各種センサ１１１、サーバ１１３と情報網１１２により接続され、例えば、商用電力の使用量と、発電量とを調整する機能を有している。なお、その他にも、電力市場で電力取引を行う機能等を備えていても良い。
【０１００】
以上のように、電力が火力発電１０２ａ、原子力発電１０２ｂ、水力発電１０２ｃ等の集中型電力系統１０２のみならず、家庭内発電装置１０４（太陽光発電、風力発電）の発電電力を蓄電装置１０３に蓄えることができる。したがって、家庭内発電装置１０４の発電電力が変動しても、外部に送出する電力量を一定にしたり、または、必要なだけ放電するといった制御を行うことができる。例えば、太陽光発電で得られた電力を蓄電装置１０３に蓄えるとともに、夜間は料金が安い深夜電力を蓄電装置１０３に蓄え、昼間の料金が高い時間帯に蓄電装置１０３によって蓄電した電力を放電して利用するといった使い方もできる。
【０１０１】
なお、この例では、制御装置１１０が蓄電装置１０３内に格納される例を説明したが、スマートメータ１０７内に格納されても良いし、単独で構成されていても良い。さらに、電力貯蔵装置１００は、集合住宅における複数の家庭を対象として用いられてもよいし、複数の戸建て住宅を対象として用いられてもよい。
【０１０２】
「応用例としての車両における電力貯蔵装置」
本開示を車両用の電力貯蔵装置に適用した例について、図１２を参照して説明する。図１２に、本開示が適用されるシリーズハイブリッドシステムを採用するハイブリッド車両の構成の一例を概略的に示す。シリーズハイブリッドシステムはエンジンで動かす発電機で発電された電力、あるいはそれを電池に一旦貯めておいた電力を用いて、電力駆動力変換装置で走行する車である。
【０１０３】
このハイブリッド車両２００には、エンジン２０１、発電機２０２、電力駆動力変換装置２０３、駆動輪２０４ａ、駆動輪２０４ｂ、車輪２０５ａ、車輪２０５ｂ、電池２０８、車両制御装置２０９、各種センサ２１０、充電口２１１が搭載されている。
【０１０４】
ハイブリッド車両２００は、電力駆動力変換装置２０３を動力源として走行する。電力駆動力変換装置２０３の一例は、モータである。電池２０８の電力によって電力駆動力変換装置２０３が作動し、この電力駆動力変換装置２０３の回転力が駆動輪２０４ａ、２０４ｂに伝達される。なお、必要な個所に直流−交流（ＤＣ−ＡＣ）あるいは逆変換（ＡＣ−ＤＣ変換）を用いることによって、電力駆動力変換装置２０３が交流モータでも直流モータでも適用可能である。各種センサ２１０は、車両制御装置２０９を介してエンジン回転数を制御したり、図示しないスロットルバルブの開度（スロットル開度）を制御したりする。各種センサ２１０には、速度センサ、加速度センサ、エンジン回転数センサなどが含まれる。
【０１０５】
エンジン２０１の回転力は発電機２０２に伝えられ、その回転力によって発電機２０２により生成された電力を電池２０８に蓄積することが可能である。
【０１０６】
図示しない制動機構によりハイブリッド車両が減速すると、その減速時の抵抗力が電力駆動力変換装置２０３に回転力として加わり、この回転力によって電力駆動力変換装置２０３により生成された回生電力が電池２０８に蓄積される。
【０１０７】
電池２０８は、ハイブリッド車両の外部の電源に接続されることで、その外部電源から充電口２１１を入力口として電力供給を受け、受けた電力を蓄積することも可能である。電池２０８として、例えば、蓄電装置１０を適用できる。
【０１０８】
図示しないが、２次電池に関する情報に基づいて車両制御に関する情報処理を行なう情報処理装置を備えていても良い。このような情報処理装置としては、例えば、電池の残容量に関する情報に基づき、電池残容量表示を行う情報処理装置などがある。
【０１０９】
なお、以上は、エンジンで動かす発電機で発電された電力、或いはそれを電池に一旦貯めておいた電力を用いて、モータで走行するシリーズハイブリッド車を例として説明した。しかしながら、エンジンとモータの出力がいずれも駆動源とし、エンジンのみで走行、モータのみで走行、エンジンとモータ走行という３つの方式を適宜切り替えて使用するパラレルハイブリッド車に対しても本開示は有効に適用可能である。さらに、エンジンを用いず駆動モータのみによる駆動で走行する所謂、電動車両に対しても本開示は有効に適用可能である。
【符号の説明】
【０１１０】
１・・・一般的な蓄電装置
２・・・ＤＣ電源部
３・・・ＡＣ電源部
４・・・負荷
１０・・・本開示における蓄電装置（一例）
２１・・・入出力部
２４・・・充放電部
２６・・・電流生成部
２７・・・ＥＭＵ
２８・・・ＢＭＵ
２９・・・蓄電部
【図１】
0006465174.tif 000002
【図２】
0006465174.tif 000003
【図３】
0006465174.tif 000004
【図４】
0006465174.tif 000005
【図５】
0006465174.tif 000006
【図６】
0006465174.tif 000007
【図７】
0006465174.tif 000008
【図８】
0006465174.tif 000009
【図９】
0006465174.tif 000010
【図１０】
0006465174.tif 000011
【図１１】
0006465174.tif 000012
【図１２】
0006465174.tif 000013